(57)【要約】【課題】専用の模擬券の準備を前提とすることなく、スムーズに動作確認を行うことが可能な現金処理装置を提供する。【解決手段】複数の媒体を計数する鑑別部と、前記複数の媒体を搬送する搬送部と、前記搬送部に、前記複数の媒体の搬送先を指示する制御部と、を備え、動作確認試験の際には、前記鑑別部は、前記複数の媒体を計数し、前記制御部は、前記鑑別部が計数した順番に応じた搬送先へ前記複数の媒体を搬送するように、前記搬送部に指示する、現金処理装置を提供する。【選択図】図３
2017117164.tif 000002
【特許請求の範囲】
【請求項１】
複数の媒体を計数する鑑別部と、
前記複数の媒体を搬送する搬送部と、
前記搬送部に、前記複数の媒体の搬送先を指示する制御部と、
を備え、
動作確認試験の際には、
前記鑑別部は、前記複数の媒体を計数し、
前記制御部は、前記鑑別部が計数した順番に応じた搬送先へ前記複数の媒体を搬送するように、前記搬送部に指示する、
現金処理装置。
【請求項２】
前記動作確認試験の動作フローに係る制御プログラムを記憶する記憶部をさらに備え、
前記現金処理装置は、記憶された前記制御プログラムに従って、入出金取引、補充取引、回収取引の動作確認を連続して実施する、
請求項１に記載の現金処理装置。
【請求項３】
前記現金処理装置は、前記記憶された制御プログラムに従って、補充取引、出金取引、入金取引、回収取引の順で動作確認を実施する、
請求項２に記載の現金処理装置。
【請求項４】
前記動作フローは、
前記現金処理装置の操作者に対して前記複数の媒体の入金を誘導する表示を行うことを含む、
請求項３に記載の現金処理装置。
【請求項５】
前記複数の媒体は、前記動作確認試験用の模擬券である、請求項１から４のいずれか１項に記載の現金処理装置。
【請求項６】
前記複数の媒体は、２枚の前記動作確認試験用の模擬券である、請求項１から４のいずれか１項に記載の現金処理装置。
【発明の詳細な説明】
【技術分野】
【０００１】
本発明は、現金処理装置に関する。
【背景技術】
【０００２】
金融機関の営業店のカウンタ等には、窓口用現金処理機に代表される現金処理装置が設置されており、このような現金処理装置は、紙幣や硬貨の入金取引や出金取引等に利用されている。現金処理装置においては、現金処理装置の運用中に入出金取引等の処理が適切に行われるように、保守作業（現金処理装置内のユニット交換、機構調整、センサ調整等）後や現金処理装置の運用前に、保守員等が現金処理装置の動作確認を行う。具体的には、保守員は、現金処理装置に対して、当該現金処理装置で実施可能な、入金取引、出金取引、補充取引、回収取引等を、運用時と同様に実施させることにより、現金処理装置内の搬送路等が所定の動作を行っているか等の動作確認を行う。この際、保守員は、現金処理装置に対して、特許文献１に挙げられているような模擬券を用いて上記各取引を個別に実施させる。
【先行技術文献】
【特許文献】
【０００３】
【特許文献１】特開２０１２−２２５４５号公報
【発明の概要】
【発明が解決しようとする課題】
【０００４】
動作確認の際、現金処理装置の機種ごとに紙幣の鑑別方法が異なるため、現金処理装置の機種ごとに専用の動作確認試験用の複数の模擬券が準備されている（例えば、１台の現金処理装置につき、専用の模擬券が数１００枚程度準備される）。従って、専用の模擬券が準備できない場合には、保守員は、現金処理装置の動作確認を実施することができなかった。また、動作確認の際には、保守員は、入金取引、出金取引、補充取引、回収取引等を、実際の現金処理装置の運用時と同様の操作を行って、個別に実施しなければならず、現金処理装置の動作確認は、保守員にとっては煩雑な作業であった。
【０００５】
そこで、本発明は、上記問題に鑑みてなされたものであり、本発明の目的とするところは、専用の模擬券の準備を前提とすることなく、スムーズに動作確認を行うことが可能な、新規かつ改良された現金処理装置を提供することにある。
【課題を解決するための手段】
【０００６】
上記課題を解決するために、本発明のある観点によれば、複数の媒体を計数する鑑別部と、前記複数の媒体を搬送する搬送部と、前記搬送部に、前記複数の媒体の搬送先を指示する制御部と、を備え、動作確認試験の際には、前記鑑別部は、前記複数の媒体を計数し、前記制御部は、前記鑑別部が計数した順番に応じた搬送先へ前記複数の媒体を搬送するように、前記搬送部に指示する、現金処理装置が提供される。
【０００７】
前記動作確認試験の動作フローに係る制御プログラムを記憶する記憶部をさらに備え、前記現金処理装置は、記憶された前記制御プログラムに従って、入出金取引、補充取引、回収取引の動作確認を連続して実施してもよい。
【０００８】
前記現金処理装置は、前記記憶された制御プログラムに従って、補充取引、出金取引、入金取引、回収取引の順で動作確認を実施してもよい。
【０００９】
前記動作フローは、前記現金処理装置の操作者に対して前記複数の媒体の入金を誘導する表示を行うことを含んでもよい。
【００１０】
前記複数の媒体は、前記動作確認試験用の模擬券であってもよい。
【００１１】
前記複数の媒体は、２枚の前記動作確認試験用の模擬券であってもよい。
【発明の効果】
【００１２】
以上説明したように本発明によれば、専用の模擬券の準備を前提とすることなく、スムーズに現金処理装置の動作確認を行うことができる。
【図面の簡単な説明】
【００１３】
【図１】本発明の第１の実施形態に係る現金処理装置１の構成例を示した説明図である。
【図２】第１の実施形態に係る現金処理装置１の紙幣処理に関する制御系のブロック図である。
【図３】第１の実施形態に係る動作確認試験のフローチャートである。
【図４】第１の実施形態に係る動作確認試験における現金処理装置１の状態を示した説明図（開始時）である。
【図５】第１の実施形態に係る動作確認試験における現金処理装置１の状態を示した説明図（補充取引試験−ステップＳ１００）である。
【図６】第１の実施形態に係る動作確認試験における現金処理装置１の状態を示した説明図（出金取引試験−ステップＳ２００）である。
【図７】第１の実施形態に係る動作確認試験における誘導画面８０の一例を説明する説明図である。
【図８】第１の実施形態に係る動作確認試験における現金処理装置１の状態を示した説明図（入金時）である。
【図９】第１の実施形態に係る動作確認試験における現金処理装置１の状態を示した説明図（入金取引試験−ステップＳ３００）である。
【図１０】第１の実施形態に係る動作確認試験における現金処理装置１の状態を示した説明図（回収取引試験−ステップＳ４００）である。
【図１１】第２の実施形態に係る動作確認試験のフローチャートである。
【図１２】第２の実施形態に係る動作確認試験における現金処理装置１の状態を示した説明図（開始時）である。
【図１３】第２の実施形態に係る動作確認試験における現金処理装置１の状態を示した説明図（補充取引試験−ステップＳ１０１）である。
【図１４】第２の実施形態に係る動作確認試験における現金処理装置１の状態を示した説明図（補充取引試験−ステップＳ１０３）である。
【図１５】第２の実施形態に係る動作確認試験における現金処理装置１の状態を示した説明図（補充取引試験−ステップＳ１０５）である。
【図１６】第２の実施形態に係る動作確認試験における現金処理装置１の状態を示した説明図（出金取引試験−ステップＳ２０１）である。
【図１７】第２の実施形態に係る動作確認試験における現金処理装置１の状態を示した説明図（出金取引試験−ステップＳ２０３）である。
【図１８】第２の実施形態に係る動作確認試験における現金処理装置１の状態を示した説明図（出金取引試験−ステップＳ２０５）である。
【図１９】第２の実施形態に係る動作確認試験における現金処理装置１の状態を示した説明図（入金取引試験−ステップＳ３０１）である。
【図２０】第２の実施形態に係る動作確認試験における現金処理装置１の状態を示した説明図（入金取引試験−ステップＳ３０３）である。
【図２１】第２の実施形態に係る動作確認試験における現金処理装置１の状態を示した説明図（回収取引試験−ステップＳ４０１）である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて収納庫１０８ａ及び収納庫１０８ｂのように区別する。ただし、実質的に同一の機能構成を有する複数の構成要素の各々を特に区別する必要がない場合、同一符号のみを付する。例えば、収納庫１０８ａ及び収納庫１０８ｂを特に区別する必要が無い場合には、単に収納庫１０８と称する。
【００１６】
以下に説明する実施形態は、金融機関の営業店に設置されている現金処理装置に適用される。しかしながら、本実施形態は、上述の現金処理装置に適用されることに限定されるものではなく、金融機関等で使用される現金自動預け払い機（ＡＴＭ：Ａｕｔｏｍａｔｅｄ  Ｔｅｌｌｅｒ  Ｍａｃｈｉｎｅ、以下単に「ＡＴＭ」と呼称する）や自動釣銭機等に適用されてもよく、また、金融機関や一般店舗等のバックヤードで使用される紙幣整理装置に適用されてもよい。
【００１７】
１．  第１の実施形態
１．１  現金処理装置１の基本構成
まずは、現金処理装置１の基本構成を示した説明図である図１を参照して、現金処理装置１の基本構成について説明する。なお、図１においては、現金処理装置１の操作者（例えば、保守員）は、現金処理装置１の左側に位置するものとする。図１に示すように、現金処理装置１は、紙幣処理ユニット２０と、硬貨処理ユニット３０と、制御部４０と、記憶部５０と、操作表示部６０とを主に有する。
【００１８】
＜紙幣処理ユニット２０＞
紙幣処理ユニット２０は、現金処理装置１内に設けられ、紙幣の処理を行うユニットである。紙幣処理ユニット２０は、図１に示すように、入金口１０２と、鑑別部１０４と、紙幣収納部１０６と、出金口１１０と、紙幣カセット１１２と、リジェクト庫１１４と、搬送部１１６とを主に有する。
【００１９】
（入金口１０２）
入金口１０２は、現金処理装置１の操作者と向かい合うように設けられ、操作者によって入金された複数の紙幣（以下の説明においては、紙幣は模擬券Ｔも含む）を取り込む部位である。この入金口１０２に投入された紙幣は、分離手段（図示省略）により１枚ずつ分離されて現金処理装置１内に送り込まれるようになっている。なお、入金口１０２には、その開口部を開閉するシャッタ（図示省略）が設けられている。
【００２０】
（鑑別部１０４）
鑑別部１０４は、鑑別部１０４内を１枚ずつ通過していく紙幣の鑑別を行う。鑑別部１０４内の紙幣の進行方向は双方向あり、鑑別部１０４は、入金口１０２側から搬送される紙幣（図１においては、左から右へ進む方向）およびその反対側から搬送される紙幣（図１においては、右から左へ進む方向）の鑑別を行うことができる。鑑別部１０４には、その内部にＯＣＲ（Ｏｐｔｉｃａｌ  Ｃｈａｒｃｔｅｒ  Ｒｅｃｏｇｎｉｔｉｏｎ）といったイメージセンサや磁気センサといった真偽センサ等の複数種類のセンサ（図示省略）が組み込まれており、搬送された紙幣の金種（例えば、一万円券、五千円券、二千円券、千円券）、真偽（真券／偽券）、正券であるか損券であるかといった紙幣の正損状態、重送、連鎖、斜行等の搬送状態、紙幣の表裏などを鑑別し、鑑別部１０４を通過する紙幣に対して、正常判定またはリジェクト判定を行う。以下の説明においては、真券とは、鑑別部１０４によって紙幣と鑑別された媒体をいい、偽券とは紙幣と鑑別されなかった媒体をいう。また、正券とは、真券と鑑別された紙幣のうち、汚れ等が少なく、入金／出金取引での使用に適すると鑑別された紙幣をいい、損券とは、真券と鑑別された紙幣のうち、汚れ等が多く、入金／出金取引に適さない紙幣と鑑別されたものをいう。そして、鑑別部１０４は、偽券、損券、搬送異常といった要因に基づいて、鑑別した媒体に対して、金種不明もしくは受付不能なリジェクト紙幣であるとしてリジェクト判定を行う。一方、鑑別部１０４は、その他の媒体に対しては、正常紙幣であるとして正常判定を行う。なお、鑑別部１０４によってリジェクト判定されたリジェクト紙幣には、出金紙幣として取り扱えない紙幣（例えば旧一万円券）を含んでもよいし、外国紙幣を含んでもよい。また、鑑別部１０４は、上記の鑑別を行うとともに、金種が確定した紙幣の計数を行う。
【００２１】
（紙幣収納部１０６）
紙幣収納部１０６は、例えば、４つの収納庫１０８ａ〜ｄを含み、例えば４種類の金種（例えば、一万円券、五千円券、二千円券、千円券）をそれぞれ収納できるようになっている。すなわち、各収納庫１０８ａ〜ｄは、鑑別部１０４による鑑別結果に応じて、予め収納対象の定められている金種の紙幣を収納する。なお、図１の例においては、紙幣収納部１０６内に、４つの収納庫１０８ａ〜ｄが横一列に設けられているが、本実施形態においては、４つの収納庫１０８に限定されるものではなく、収納庫１０８は、紙幣収納部１０６に４個以上設けられていてもよい。
【００２２】
（出金口１１０）
出金口１１０は、操作者が受け取る紙幣が排出（出金）される排出口であり、例えば、出金取引時に紙幣収納部１０６から鑑別部１０４へ搬送され、鑑別部１０４で計数された紙幣を排出したり、入金取引時に鑑別部１０４において金種／真偽鑑別ができなかった紙幣（媒体）を操作者に排出したりする。また、出金口１１０には、その開口部を開閉するシャッタ（図示省略）を設けるようにしてもよい。なお、図１に示す例では、出金口１１０が１個設けられているが、本実施形態においては、これに限定されず、例えば出金口１１０が２個以上設けられていてもよい。また、２個の出金口１１０が設けられた場合には、一方の出金口１１０を、リジェクト紙幣を排出するための専用の排出口にしてもよい。
【００２３】
（紙幣カセット１１２）
紙幣カセット１１２は、紙幣を金種ごとに収納可能な紙幣収納部であって、紙幣の集積及び分離の機能を有する。また、紙幣カセット１１２は、現金処理装置１に対して着脱可能な構造を有し、操作者は、紙幣カセット１１２を交換することで、現金処理装置１に紙幣を補充することができる。なお、図１に示す例では、紙幣カセット１１２が１個設けられているが、本実施形態においては、これに限定されず、例えば紙幣カセット１１２が２個以上設けられていてもよい。
【００２４】
（リジェクト庫１１４）
リジェクト庫１１４は、入出金取引等において鑑別部１０４によってリジェクト判定されたリジェクト紙幣を収納する。また、リジェクト庫１１４は、現金処理装置１に対して着脱可能な構造を有し、操作者は、リジェクト庫１１４を着脱することにより、リジェクト紙幣を回収することができる。なお、図１に示す例では、リジェクト庫１１４が１個設けられているが、本実施形態においては、これに限定されず、例えばリジェクト庫１１４が２個以上設けられていてもよい。
【００２５】
（搬送部１１６）
搬送部１１６は、紙幣を受け止める搬送路（図示省略）、搬送路を回転させる搬送ローラ（図示省略）、紙幣を案内する切替部（図示省略）および搬送ローラを駆動する駆動機構（図示省略）（例えば、直流サーボモータ、パルスモータ等）を含み、紙幣を１枚ずつ紙幣処理ユニット２０内の各所へ搬送する。詳細には、搬送ローラは搬送路を挟んで対向するように配置され、後述する制御部４０により制御され搬送ローラが回転することにより、搬送路が所定の方向に移動し、紙幣を搬送することができる。さらに、搬送路に接して設けられた切替部（ブレード）により、紙幣の搬送方向を切り替えることができる。また、搬送部１１６は、図１中では帯状に示され、入金口１０２から鑑別部１０４を貫いて紙幣収納部１０６まで連続して設けられ、また、出金口１１０から紙幣収納部１０６、紙幣カセット１１２、リジェクト庫１１４のそれぞれに向かって分岐して設けられる。さらに、搬送部１１６は、入金口１０２から出金口１１０の間にも設けられる。
【００２６】
＜硬貨処理ユニット３０＞
硬貨処理ユニット３０は、現金処理装置１内に設けられ、硬貨の処理を行う。図１においては図示していないが、紙幣処理ユニット２０と同様に、硬貨処理ユニット３０についても、硬貨鑑別する鑑別部、硬貨を収納する硬貨収納部等が設けられており、硬貨の入金取引、出金取引等を行うことができる構成となっている。
【００２７】
＜制御部４０＞
制御部４０は、例えば現金処理装置１内に設けられ、ＣＰＵ（Ｃｅｎｔｒａｌ  Ｐｒｏｃｅｓｓｉｎｇ  Ｕｎｉｔ）を中心に構成されており、入出金取引等の種々の処理のための制御を行うことができる。詳細には、図２に示す、現金処理装置１における紙幣処理に関する制御系のブロック図のように、制御部４０は、後述する操作表示部６０からの入力に基づいて、後述する記憶部５０から所定のプログラムを読み出して実行することにより、鑑別部１０４、搬送部１１６等の現金処理装置１内の各所を制御することができる。例えば、制御部４０は、鑑別部１０４による紙幣の鑑別結果に基づいて、紙幣の搬送先（例えば、収納庫１０８等）を決定したりすることができ、決定した搬送先に紙幣を搬送するために搬送部１１６に搬送先を指示することができる。搬送部１１６の搬送路にはブレードが設けられ、指示にしたがってブレードを切り替えることで紙幣を搬送先に搬送する。
【００２８】
＜記憶部５０＞
記憶部５０は、例えば現金処理装置１内に設けられ、例えば、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等により構成される。記憶部５０は、制御部４０が使用する制御プログラムや鑑別部１０４で使用する各種情報を記憶したりする。
【００２９】
＜操作表示部６０＞
操作表示部６０は、本実施形態における表示部の一例である。操作表示部６０は、図１においては、現金処理装置１の上方に位置し、現金処理装置１の操作者と向かい合う。さらに、操作表示部６０は、操作者に対して操作画面等を表示する表示部、及び操作者の操作を受け付ける操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。操作表示部６０は、制御部４０の制御に従って、各種の操作画面、紙幣の計数結果、操作者に入金を誘導する誘導画面（例えば、図７の誘導画面８０）、エラーメッセージなどを表示し、さらに、操作者による現金処理装置１に対する各種の入力操作（取引開始入力、取引のための各種設定入力等）を受け付け、受け付けた内容を制御部４０に出力する。なお、操作表示部６０の操作部と表示部とは、上述のように、操作機能と表示機能の両方の機能を包含する操作表示部として構成されることに限定されるものではなく、例えば、操作部であるキーボードと表示部であるＣＲＴディスプレイ装置との組み合わせのように、別体のものとして構成されていてもよく、さらに、操作機能及び表示機能を有する各部位又は単一の部位が現金処理装置１の外部に位置していてもよい。
【００３０】
１．２  現金処理装置１の基本取引
現金処理装置１は、現金処理装置１の運用時の基本的な取引として、例えば入金取引、出金取引、補充取引、回収取引を実施することができる。以下では、図１を参照しながら、現金処理装置１において実施可能な各取引について説明する。
【００３１】
（入金取引）
入金取引は、入金口１０２内の紙幣を現金処理装置１の内部に集積する処理である。現金処理装置１は、入金取引として、例えば、紙幣収納部１０６の各収納庫１０８ａ〜ｄに紙幣を収納する。詳細には、現金処理装置１は、操作者によって入金口１０２に入金された紙幣を一枚ずつ分離して現金処理装置１の内部に繰り出し、繰り出した紙幣を、搬送部１１６により鑑別部１０４へ搬送する。次に、鑑別部１０４が紙幣の鑑別、計数を行い、鑑別結果が正常判定であった紙幣は、搬送部１１６により当該紙幣の金種に対応する収納庫１０８ａ〜ｄへ搬送され、収納される。一方、鑑別部１０４による鑑別結果がリジェクト判定であったリジェクト紙幣は、出金口１１０へ搬送される。そして、出金口１１０に搬送された紙幣は、操作者により入金口１０２に入金されることにより、鑑別部１０４による再鑑別が可能である。また、リジェクト紙幣は、出金口１１０の代わりにリジェクト庫１１４へ搬送され、収納されてもよい。
【００３２】
（出金取引）
出金取引は、収納庫１０８ａ〜ｄに収納された紙幣を出金口１１０に排出する処理である。出金取引においては、まず、現金処理装置１は、操作者によって操作表示部６０を用いて入力された金額に応じて、収納庫１０８ａ〜ｄから紙幣を１枚ずつ分離して繰り出し、繰り出した紙幣を搬送部１１６により鑑別部１０４へ搬送する。次に、鑑別部１０４が紙幣の鑑別を行い、鑑別結果が正常判定であった紙幣は、出金口１１０へ搬送される。より具体的には、例えば出金する正常紙幣の金種や枚数に応じて、正常判定であった紙幣は出金口１１０に集積（集金）される。一方で、鑑別結果がリジェクト判定であったリジェクト紙幣、すなわち、顧客に支払いすることが適切でない紙幣は、リジェクト庫１１４へ搬送される。
【００３３】
（補充取引）
補充取引は、現金処理装置１に紙幣を補充する取引である。補充取引においては、例えば、操作者は、紙幣カセット１１２に予め紙幣を装填し、充填された紙幣カセット１１２を現金処理装置１にセットする。次に、現金処理装置１は、紙幣カセット１１２から紙幣を１枚ずつ分離して繰り出し、繰り出した紙幣を搬送部１１６により鑑別部１０４へ搬送する。次に、鑑別部１０４が紙幣の鑑別、計数を行い、鑑別結果が正常判定であった紙幣は、当該紙幣の金種に対応する収納庫１０８ａ〜ｄへ搬送され、収納される。一方、鑑別部１０４による鑑別結果がリジェクト判定であったリジェクト紙幣は、リジェクト庫１１４へ搬送される。
【００３４】
（回収取引）
回収取引は、現金処理装置１内の紙幣を回収する取引である。回収取引においては、例えば、現金処理装置１は、収納庫１０８ａ〜ｄのうち、紙幣の回収対象である収納庫１０８から紙幣を繰り出し、繰り出した紙幣を搬送部１１６により鑑別部１０４へ搬送する。次に、鑑別部１０４により紙幣の鑑別、計数を行い、鑑別部１０４による鑑別結果が正常判定であった紙幣は、紙幣カセット１１２へ搬送される。一方、鑑別結果がリジェクト判定であったリジェクト紙幣は、リジェクト庫１１４へ搬送される。その後、操作者が紙幣カセット１１２やリジェクト庫１１４を現金処理装置１から取り外すことで、操作者が、正常判定された紙幣およびリジェクト判定されたリジェクト紙幣等を回収することができる。
【００３５】
１．３  動作確認試験
続いて、本実施形態に係る現金処理装置１の動作確認試験について、図３から図１０を参照して説明する。図３は、本実施形態に係る動作確認試験のフローチャートである。図４から図６、及び図８から図１０は、本実施形態に係る動作確認試験における各ステップの現金処理装置１の状態を示した説明図である。なお、これらの図中に示される矢印は、模擬券（媒体）Ｔの搬送方向、搬送経路を示す。さらに、図７は、本実施形態に係る確認動作試験における誘導画面８０の一例を説明する説明図である。
【００３６】
本実施形態においては、現金処理装置１の動作確認試験の動作のフローは、制御プログラムとして、上述の記憶部５０に記憶され、上述の制御部４０が、記憶部５０から読みだした上記プログラムに従って、鑑別部１０４、搬送部１１６等を制御することにより行われる。この際、紙幣の代わりに、少なくとも実際の紙幣と同様の形状（大きさ、厚み）を有する模擬券Ｔを用いて、動作確認試験を行うことができる。なお、この模擬券Ｔは、上記現金処理装置１に専用の動作確認試験用の模擬券である必要はなく、実際の紙幣と同様の形状（大きさ、厚み）を有する紙状媒体であってもよく、したがって、所定の鑑別パターンが印刷されていなくてもよい。さらに、本実施形態の模擬券Ｔは、現金処理装置１に専用の動作確認試験用の模擬券であってもよく、当該現金処理装置１とは異なる機種に専用の動作確認試験用の模擬券であってもよい。また、本実施形態においては、模擬券Ｔとして、管理に留意した上で実際の紙幣を用いてもよい。そして、本実施形態にて用いる模擬券Ｔは、現金処理装置１で取り扱う全て金種に対応する模擬券でなくてもよい。
【００３７】
また、以下に説明する動作確認試験のフローにおいては、図３に示すように、現金処理装置１は、補充取引が正常に行われるかどうかを確認する補充取引試験（ステップＳ１００）、出金取引が正常に行われるかどうかを確認する出金取引試験（ステップＳ２００）、入金取引が正常に行われるかどうかを確認する入金取引試験（ステップＳ３００）、回収取引が正常に行われるかどうかを確認する回収取引試験（ステップＳ４００）を、上述の順番で連続して行う。したがって、操作者は、取引試験ごとに各試験を行うための操作を行うことなく、最初に、動作確認試験を開始させる操作を行うだけで、上記各取引試験を連続して行うことができる。本実施形態に係る動作確認試験の各取引試験においては、鑑別部１０４は、模擬券Ｔに対して鑑別を行うことなく計数を行い、制御部４０は、鑑別部１０４が計数した順番に応じて、各模擬券Ｔの搬送先を決定し、さらにその決定に従い搬送部１１６を制御する。
【００３８】
まず、図４に示すように、操作者は、紙幣カセット１１２に予め模擬券Ｔを装填し、充填された紙幣カセット１１２を現金処理装置１にセットする。この際、模擬券Ｔは、例えば、６枚以上充填することが好ましく、１０枚程度充填することがより好ましい。次に、操作者は、操作表示部６０に対して操作を行うことにより、現金処理装置１に対して動作確認試験を開始させる。
【００３９】
（ステップＳ１００）
操作者による動作確認試験の開始操作を受け付けると、制御部４０は、記憶部５０から動作確認試験の制御プログラムを読み出し、動作確認試験を開始する。最初に、ステップＳ１００の補充取引試験が行われる。図５に示すように、現金処理装置１は、紙幣カセット１１２内の模擬券Ｔを１枚ずつ分離して繰り出し、繰り出した模擬券Ｔを搬送部１１６により鑑別部１０４へ搬送する。鑑別部１０４は、搬送された模擬券Ｔに対して、鑑別を行うことなく計数し、その計数結果を制御部４０に出力する。そして、制御部４０は、鑑別部１０４によって計数された順番に応じて、模擬券Ｔの搬送先を決定する。具体的には、１番目に計数された模擬券Ｔの搬送先は収納庫１０８ａとなり、２番目に計数された模擬券Ｔの搬送先は収納庫１０８ｂとなり、３番目に計数された模擬券Ｔの搬送先は収納庫１０８ｃとなり、４番目に計数された模擬券Ｔの搬送先は収納庫１０８ｄとなり、５番目に計数された模擬券Ｔの搬送先は出金口１１０となる。さらに、５番目以降に計数された模擬券Ｔについては、上述と同様に、その計数された順番に応じて、収納庫１０８ａ、収納庫１０８ｂ、収納庫１０８ｃ、収納庫１０８ｄ、出金口１１０の順に搬送先が決定される。さらに、制御部４０は、決定した各搬送先へ各模擬券Ｔを搬送するように搬送部１１６に指示し、指示を受けた搬送部１１６は、決定された各搬送先へ各模擬券Ｔを搬送する。次いで、ステップＳ２００へ進む。
【００４０】
（ステップＳ２００）
次に、ステップＳ２００の出金取引試験が行われる。図６に示すように、現金処理装置１は、収納庫１０８ａ〜ｄから順次模擬券Ｔを１枚ずつ分離して繰り出し、繰り出した模擬券Ｔを搬送部１１６により鑑別部１０４へ搬送する。鑑別部１０４は、ステップＳ１００と同様に、搬送された模擬券Ｔに対して、鑑別を行うことなく計数し、その計数結果を制御部４０に出力する。そして、制御部４０は、鑑別部１０４によって計数された順番に応じて、模擬券Ｔの搬送先を決定する。具体的には、１番目から３番目に計数された模擬券Ｔの搬送先は出金口１１０となり、４番目に計数された模擬券Ｔの搬送先はリジェクト庫１１４となる。さらに、４番目以降に計数された模擬券Ｔについては、上述と同様に、その計数された順番に応じて、出金口１１０、リジェクト庫１１４の順に搬送先が決定される。この際、収納庫１０８ａ〜ｄに収納された模擬券Ｔは、全て繰り出されてもよいし、各収納庫１０８ａ〜ｄに所定の枚数（図６では、１枚）の模擬券Ｔが残るように繰り出されてもよい。さらに、制御部４０は、決定した各搬送先へ各模擬券Ｔを搬送するように搬送部１１６に指示し、指示を受けた搬送部１１６は、各搬送先へ各模擬券Ｔを搬送する。
【００４１】
次に、模擬券Ｔの搬送が完了した後、制御部４０は、操作表示部６０に、操作者に対して誘導を行う誘導画面８０の表示を行うように指示する。この指示に基づいて、操作表示部６０は、例えば図７に示される誘導画面８０のように、操作者に対して出金口１１０内の模擬券Ｔを入金口１０２へ入金するように誘導する誘導画面の表示を行う。誘導画面８０は、「出金口内の模擬券を入金口へ入金してください」等の操作者に対して動作を誘導する文言を含んでおり、この誘導画面８０によって誘導されることにより、操作者は、出金口１１０内の模擬券Ｔを入金口１０２へ入金し、現金処理装置１は、図８に示されるような状態となる。なお、本実施形態においては、誘導画面８０は、図７に示される画面に限定されることはなく、他の態様であってもよく、例えば、誘導画面８０は、操作者が、誘導画面８０が示す内容（文言）を確認した旨を現金処理装置１に通知するための確認ボタンを含んでいてもよい。次いで、ステップＳ３００へ進む。
【００４２】
（ステップＳ３００）
次に、ステップＳ３００の入金取引試験が行われる。図９に示すように、現金処理装置１は、入金口１０２から順次模擬券Ｔを１枚ずつ分離して繰り出し、繰り出した模擬券Ｔを搬送部１１６により鑑別部１０４へ搬送する。鑑別部１０４は、ステップＳ１００と同様に、搬送された模擬券Ｔに対して、鑑別を行うことなく、計数し、その計数結果を制御部４０に出力する。そして、制御部４０は、鑑別部１０４によって計数された順番に応じて、模擬券Ｔの搬送先を決定する。具体的には、１番目に計数された模擬券Ｔの搬送先は収納庫１０８ａとなり、２番目に計数された模擬券Ｔの搬送先は収納庫１０８ｂとなり、３番目に計数された模擬券Ｔの搬送先は収納庫１０８ｃとなり、４番目に計数された模擬券Ｔの搬送先は収納庫１０８ｄとなり、５番目に計数された模擬券Ｔの搬送先は出金口１１０となる。さらに、５番目以降に計数された模擬券Ｔは、上述と同様に、その計数された順番に応じて、収納庫１０８ａ、収納庫１０８ｂ、収納庫１０８ｃ、収納庫１０８ｄ、出金口１１０の順に搬送先が決定される。さらに、制御部４０は、決定した各搬送先へ各模擬券Ｔを搬送するように搬送部１１６に指示し、搬送部１１６は、各搬送先へ各模擬券Ｔを搬送する。次いで、ステップＳ４００へ進む。
【００４３】
（ステップＳ４００）
次に、ステップＳ４００の回収取引試験が行われる。図１０に示すように、現金処理装置１は、収納庫１０８ａ〜ｄから順次模擬券Ｔを１枚ずつ分離して繰り出し、繰り出した模擬券Ｔを搬送部１１６により鑑別部１０４へ搬送する。鑑別部１０４は、ステップＳ１００と同様に、搬送された模擬券Ｔに対して、鑑別を行うことなく、計数し、その計数結果を制御部４０に出力する。そして、制御部４０は、計数された模擬券Ｔの搬送先を紙幣カセット１１２に決定する。この際、収納庫１０８ａ〜ｄに収納された模擬券Ｔは、全て鑑別部１０４へ搬送される。さらに、制御部４０は、紙幣カセット１１２へ各模擬券Ｔを搬送するように搬送部１１６に指示し、指示を受けた搬送部１１６は、紙幣カセット１１２へ各模擬券Ｔを搬送する。そして、本実施形態に係る動作確認試験は終了する。
【００４４】
その後、操作者は、紙幣カセット１１２やリジェクト庫１１４を現金処理装置１から取り外して、紙幣カセット１１２及びリジェクト庫１１４内の模擬券Ｔを回収し、さらに、出金口１１０内の模擬券Ｔを回収する。このようにして、動作確認試験後には、模擬券Ｔが現金処理装置１内に残存するようなことがないようにする。
【００４５】
なお、図５から図６、及び図８から図１０によってわかるように（各図で示される矢印を参照）、本実施形態の動作確認試験では、各取引（入金取引、回収取引、補充取引、出金取引）において用いられる、搬送部１１６の全てのブロックについて、各取引において用いられる搬送方向ごとに、正常に搬送動作が行われているかどうかを漏れなく確認することができる。
【００４６】
１．４  まとめ
ところで、従来の現金処理装置においては、先に説明したように、動作確認の際、現金処理装置の機種ごとに紙幣の鑑別方法が異なるため、現金処理装置の機種ごとに専用の複数の模擬券が準備されている（例えば、１台の現金処理装置につき、専用の模擬券が数１００枚）。この専用の模擬券には、鑑別部による鑑別のための所定の鑑別パターンが印刷されている。従って、操作者（例えば、保守員）は、専用の模擬券が準備できない場合には、現金処理装置の動作確認試験を実施することができなかった。さらに、現金処理装置の専用の模擬券は、数１００枚の模擬券によって１つのセットをなしており、従って、それぞれ異なる機種の複数の現金処理装置に対して動作確認試験を行おうとする場合には、操作者は、機種ごとに数１００枚の模擬券、すなわち、膨大な量の模擬券を準備しなければならず、このような膨大な量の模擬券の管理や持ち運びは、操作者にとって大きな負担となっていた。
【００４７】
さらに、従来の現金処理装置においては、先に説明したように、動作確認試験の際に、操作者は、入金取引、出金取引、補充取引、回収取引等を、実際の現金処理装置の運用時と同様の操作を行って個別に実施しなければならず、現金処理装置の動作確認は、操作者にとっては煩雑な作業であった。また、従来の現金処理装置の動作確認試験においては、現金処理装置の鑑別部によって真券、且つ、正券である（すなわち、正常紙幣）と鑑別されることが可能な鑑別パターンを有する専用の模擬券を用いるため、現金処理装置内で鑑別部からリジェクト庫への搬送が正常に行われているかを確認する確認試験の際には、操作者は、所定の設定を行って、鑑別部に上記専用模擬券を強制的にリジェクト紙幣であると判定させ、リジェクト紙幣であると判定された専用模擬券を、搬送部によりリジェクト庫へ搬送させる。この所定の設定は、通常ならば正常紙幣であると判定される模擬券を、強制的にリジェクト紙幣であると鑑別部に判定させるための強制的な設定であるため、非常に面倒な操作によってのみ設定される。この強制的な設定を行うための操作は、熟練した操作者（保守員）にとっても煩雑な操作である。さらに、近年、人手不足により経験の浅い操作者（保守員）が増えているが、このような経験の浅い操作者にとっては、上述の強制的な設定を行うための操作は、非常に煩雑なものであり、加えて、このような設定操作に時間がかかることにより、動作確認試験にかかる時間が非常に長くなってしまう。
【００４８】
しかしながら、本実施形態の動作確認試験においては、鑑別部１０４が模擬券Ｔに対して鑑別を行うことなく計数を行い、制御部４０は、鑑別部１０４が計数した順番に応じて、各模擬券Ｔの搬送先を決定し、さらにその決定に従い、各模擬券Ｔは搬送部１１６によって各搬送先に搬送される。よって、鑑別部１０４が模擬券Ｔに対して鑑別を行わないことから、本実施形態においては、動作確認試験において用いる模擬券Ｔは、現金処理装置１に専用の模擬券である必要はなく、例えば、現金処理装置１とは異なる機種の現金処理装置に専用の模擬券であってもよく、もしくは、実際の紙幣と同様の形状（大きさ、厚み）を有する紙状媒体であってもよい。したがって、本実施形態によれば、現金処理装置１に専用の模擬券Ｔの準備を前提することなく、上述の模擬券又は紙状媒体を準備しさえすれば、現金処理装置１の動作確認試験を実施することができる。さらに、本実施形態によれば、現金処理装置の機種ごとに専用の模擬券を準備する必要がないことから、模擬券Ｔを、互いに異なる機種の現金処理装置の間で共通する模擬券とすることはでき、したがって、操作者が管理または持ち運ぶ模擬券Ｔの数を少なくすることができる。その結果、本実施形態によれば、操作者の負担を低減することができる。
【００４９】
また、本実施形態においては、あらかじめ記憶部５０に記憶させた一連の動作確認試験のフローに係る制御プログラムを用いて動作確認試験を実施することにより、入金取引試験、出金取引試験、補充取引試験、回収取引試験を一度に連続して行うことができる。したがって、操作者は、実際の現金処理装置１の運用時と同様の操作を個別に実施することもなく、例えば、経験の浅い操作者（保守員）であっても、スムーズに現金処理装置１の動作確認試験を行うことができる。加えて、あらかじめ記憶させた動作確認試験のフローに係る制御プログラムを用いることから、操作者の失念によって、一部の取引の動作確認試験が不実施となるような、動作確認試験の確認項目漏れを防止することができる。
【００５０】
さらに、本実施形態によれば、従来の現金処理装置においては非常に煩雑な設定操作が求められる、鑑別部１０４からリジェクト庫１１４への搬送が正常に行われているかを確認する動作確認試験についても、あらかじめ記憶部５０に記憶させた一連の動作確認試験の動作フローに係る制御プログラムを用い、且つ、動作確認試験の際に鑑別部１０４が模擬券Ｔに対して鑑別を行うことがないことから、模擬券Ｔを強制的にリジェクト紙幣であると判定させるための設定操作が不要となり、経験の浅い操作者であっても、容易に、短時間で動作確認試験を実施することができる。
【００５１】
なお、上述した実施形態においては、上述の順番、すなわち、補充取引、出金取引、入金取引、回収取引の順で動作確認試験を行っている。このような順番で動作確認試験を行うことにより、動作確認試験には、当該試験の最中に操作者が上記誘導画面８０に誘導されて模擬券Ｔの入金を行う作業が伴うことから、操作者は動作確認試験の進行状況を把握することができる。しかしながら、本実施形態においては、上述の順番、すなわち、補充取引、出金取引、入金取引、回収取引の順で動作確認試験を行うことに限定されるものではなく、現金処理装置１で実施可能な取引である入金取引、出金取引、補充取引、回収取引に関する動作確認試験を連続して実施するフローであれば、特に順番は限定されない。例えば、本実施形態においては、入金取引、回収取引、補充取引、出金取引の順番で行ってもよく、この場合、操作者による模擬券Ｔの入金作業の回数を少なくすることができるため、動作確認試験に要する時間を短くすることができる。
【００５２】
２．  第２の実施形態
上述の第１の実施形態では、１０枚程度の模擬券Ｔを用いて動作確認試験を実施していた。それに対して、下記の第２の実施形態においては、２枚の模擬券Ｔを用いて動作確認試験を実施することができる。第２の実施形態によれば、非常に少ない枚数の模擬券Ｔを用いて行うことができることから、操作者の管理する模擬券Ｔの枚数を少なくし、模擬券Ｔの管理をより簡便にすることができる。また、１台の現金処理装置１に対して当初準備されていた複数の模擬券Ｔのうち、使用の過程でその一部の模擬券Ｔが欠損してしまっても、現金処理装置１の動作確認試験を実施することができる。
【００５３】
なお、本実施形態において、現金処理装置１については、第１の実施形態と共通であり、第１の実施形態の現金処理装置１及びその基本取引の説明及び説明図である図１から図２を参照し得る。したがって、ここでは、本実施形態に係る現金処理装置１及びその基本取引については、説明を省略する。
【００５４】
２．１  動作確認試験
本実施形態に係る現金処理装置１の動作確認試験について、図１１から図２１を参照して説明する。図１１は、本実施形態に係る動作確認試験のフローチャートである。図１２から図２１は、本実施形態に係る動作確認試験における各ステップの現金処理装置１の状態を示した説明図である。なお、これらの図中に示される矢印は、模擬券Ｔの搬送方向、搬送経路を示す。
【００５５】
また、本実施形態においては、第１の実施形態と同様に、現金処理装置１の動作確認試験の動作のフローは、制御プログラムとして、上述の記憶部５０に記憶され、上述の制御部４０が、記憶部５０から読みだした上記制御プログラムに従って、鑑別部１０４、搬送部１１６等を制御することにより行われる。この際、本実施形態においても、第１の実施形態と同様に、少なくとも実際の紙幣と同様の形状（大きさ、厚み）を有する模擬券Ｔを用いて、動作確認試験を行うことができる。なお、この模擬券Ｔは、上記現金処理装置１に専用の動作確認試験用の模擬券である必要はなく、当該現金処理装置１とは異なる機種に専用の動作確認試験用の模擬券であってもよく、実際の紙幣と同様の形状（大きさ、厚み）を有する紙状媒体であってもよく、さらには、本実施形態においては、模擬券Ｔとして、管理に留意した上で実際の紙幣を用いてもよい。
【００５６】
また、以下に説明する動作確認試験のフローは、図１１に示すように、補充取引試験（ステップＳ１０１からステップＳ１０５）、出金取引試験（ステップＳ２０１からステップＳ２０５）、入金取引試験（ステップＳ３０１からステップＳ３０３）、回収取引試験（ステップＳ４０１）の順に、連続して行う。本実施形態に係る動作確認試験の各取引試験においては、第１の実施形態と同様に、鑑別部１０４は、模擬券Ｔに対して鑑別を行うことなく計数を行い、制御部４０は、鑑別部１０４が計数した順番に応じて、各模擬券Ｔの搬送先を決定し、さらにその決定に従い搬送部１１６を制御する。
【００５７】
まず、図１２に示すように、操作者は、紙幣カセット１１２に予め２枚の模擬券Ｔを装填し、充填された紙幣カセット１１２を現金処理装置１にセットする。次に、操作者は、操作表示部６０に対して操作を行うことにより、現金処理装置１に対して動作確認試験を開始させる。
【００５８】
（ステップＳ１０１）
制御部４０は、第１の実施形態と同様に、動作確認試験を開始する。最初に、ステップＳ１０１からステップＳ１０５の補充取引の動作確認試験が行われる。図１３に示すように、現金処理装置１は、紙幣カセット１１２内の模擬券Ｔを１枚ずつ分離して繰り出し、繰り出した模擬券Ｔを搬送部１１６により鑑別部１０４へ搬送する。鑑別部１０４は、搬送された模擬券Ｔに対して、鑑別を行うことなく、計数し、その計数結果を制御部４０に出力する。そして、制御部４０は、鑑別部１０４によって計数された順番に応じて、模擬券Ｔの搬送先を決定する。具体的には、１番目に計数された模擬券Ｔの搬送先は収納庫１０８ａとなり、２番目に計数された模擬券Ｔの搬送先は収納庫１０８ｂとなる。さらに、制御部４０は、決定した各搬送先へ各模擬券Ｔを搬送するように搬送部１１６に指示し、指示を受けた搬送部１１６は、各搬送先へ各模擬券Ｔを搬送する。次いで、ステップＳ１０３へ進む。
【００５９】
（ステップＳ１０３）
図１４に示すように、現金処理装置１は、収納庫１０８ａ及び収納庫１０８ｂから順次模擬券Ｔを１枚ずつ繰り出し、繰り出した模擬券Ｔを搬送部１１６により鑑別部１０４へ搬送する。鑑別部１０４は、ステップＳ１０１と同様に、搬送された模擬券Ｔに対して、鑑別を行うことなく、計数し、その計数結果を制御部４０に出力する。そして、制御部４０は、計数された各模擬券Ｔの搬送先を紙幣カセット１１２に決定する。さらに、制御部４０は、紙幣カセット１１２へ各模擬券Ｔを搬送するように搬送部１１６に指示し、搬送部１１６は、紙幣カセット１１２へ各模擬券Ｔを搬送する。次いで、ステップＳ１０５へ進む。
【００６０】
（ステップＳ１０５）
図１５に示すように、現金処理装置１は、紙幣カセット１１２内の模擬券Ｔを１枚ずつ分離して繰り出し、繰り出した模擬券Ｔを搬送部１１６により鑑別部１０４へ搬送する。鑑別部１０４は、搬送された模擬券Ｔに対して、鑑別を行うことなく、計数し、その計数結果を制御部４０に出力する。そして、制御部４０は、鑑別部１０４によって計数された順番に応じて、各模擬券Ｔの搬送先を決定する。具体的には、１番目に計数された模擬券Ｔの搬送先は収納庫１０８ｃとなり、２番目に計数された模擬券Ｔの搬送先は収納庫１０８ｄとなる。さらに、制御部４０は、搬送部１１６に対して決定した搬送先を指示し、搬送部１１６は、各搬送先へ各模擬券Ｔを搬送する。次いで、ステップＳ２０１へ進む。
【００６１】
（ステップＳ２０１）
次に、ステップＳ２０１からステップＳ２０５の出金取引の動作確認試験が行われる。図１６に示すように、現金処理装置１は、収納庫１０８ｃ及び収納庫１０８ｄから順次模擬券Ｔを１枚ずつ繰り出し、繰り出した模擬券Ｔを搬送部１１６により鑑別部１０４へ搬送する。鑑別部１０４は、ステップＳ１０１と同様に、搬送された模擬券Ｔに対して、鑑別を行うことなく、計数し、その計数結果を制御部４０に出力する。そして、制御部４０は、計数された模擬券Ｔの搬送先を出金口１１０に決定する。さらに、制御部４０は、出金口１１０へ各模擬券Ｔを搬送するように搬送部１１６に指示し、指示を受けた搬送部１１６は、出金口１１０へ各模擬券Ｔを搬送する。
【００６２】
次に、模擬券Ｔの搬送が完了した後、制御部４０は、操作表示部６０に、操作者に対して、出金口１１０内の模擬券Ｔを入金口１０２へ入金するように誘導する誘導画面（例えば、図７の誘導画面８０）を表示するように指示する。この指示に基づいて、操作表示部６０は、誘導画面８０の表示を行う。そして、この誘導画面８０によって誘導されることにより、操作者は、出金口１１０内の模擬券Ｔを入金口１０２へ入金する。次いで、ステップＳ２０３へ進む。
【００６３】
（ステップＳ２０３）
図１７に示すように、現金処理装置１は、入金口１０２から順次模擬券Ｔを１枚ずつ分離して繰り出し、繰り出した模擬券Ｔを搬送部１１６により鑑別部１０４へ搬送する。鑑別部１０４は、ステップＳ１０１と同様に、搬送された模擬券Ｔに対して、鑑別を行うことなく、計数し、その計数結果を制御部４０に出力する。そして、制御部４０は、鑑別部１０４によって計数された順番に応じて、模擬券Ｔの搬送先を決定する。具体的には、１番目に計数された模擬券Ｔの搬送先は収納庫１０８ａとなり、２番目に計数された模擬券Ｔの搬送先は収納庫１０８ｂとなる。さらに、制御部４０は、搬送部１１６に対して決定した搬送先を指示し、搬送部１１６は、各搬送先へ各模擬券Ｔを搬送する。次いで、ステップＳ２０５へ進む。
【００６４】
（ステップＳ２０５）
図１８に示すように、現金処理装置１は、収納庫１０８ａ及び収納庫１０８ｂから順次模擬券Ｔを１枚ずつ繰り出し、繰り出した模擬券Ｔを搬送部１１６により鑑別部１０４へ搬送する。鑑別部１０４は、ステップＳ１０１と同様に、搬送された模擬券Ｔに対して、鑑別を行うことなく、計数し、その計数結果を制御部４０に出力する。そして、制御部４０は、計数された模擬券Ｔの搬送先を出金口１１０に決定する。さらに、制御部４０は、出金口１１０へ各模擬券Ｔを搬送するように搬送部１１６に指示し、指示を受けた搬送部１１６は、出金口１１０へ各模擬券Ｔを搬送する。
【００６５】
次に、模擬券Ｔの搬送が完了した後に、制御部４０は、操作表示部６０に、操作者に対して、出金口１１０内の模擬券Ｔを入金口１０２へ入金するように誘導する誘導画面（例えば、図７の誘導画面８０）を表示するように指示し、この指示に基づいて、操作表示部６０は、誘導画面８０の表示を行う。そして、この誘導画面８０によって誘導されることにより、操作者は、出金口１１０内の模擬券Ｔを入金口１０２へ入金する。次いで、ステップＳ３０１へ進む。
【００６６】
（ステップＳ３０１）
次に、ステップＳ３０１からステップＳ３０３の入金取引の動作確認試験が行われる。図１９に示すように、現金処理装置１は、入金口１０２から順次模擬券Ｔを１枚ずつ分離して繰り出し、繰り出した模擬券Ｔを搬送部１１６により鑑別部１０４へ搬送する。鑑別部１０４は、ステップＳ１０１と同様に、搬送された模擬券Ｔに対して、鑑別を行うことなく、計数し、その計数結果を制御部４０に出力する。そして、制御部４０は、鑑別部１０４によって計数された順番に応じて、模擬券Ｔの搬送先を決定する。具体的には、１番目に計数された模擬券Ｔの搬送先は収納庫１０８ｃとなり、２番目に計数された模擬券Ｔの搬送先は出金口１１０となる。さらに、制御部４０は、搬送部１１６に対して決定した搬送先を指示し、搬送部１１６は、各搬送先へ各模擬券Ｔを搬送する。
【００６７】
次に、模擬券Ｔの搬送が完了した後に、制御部４０は、操作表示部６０に、操作者に対して、出金口１１０内の模擬券Ｔを入金口１０２へ入金するように誘導する誘導画面（例えば、図７の誘導画面８０）を表示するように指示し、この指示に基づいて、操作表示部６０は、誘導画面８０の表示を行う。そして、この誘導画面８０によって誘導されることにより、操作者は、出金口１１０内の模擬券Ｔを入金口１０２へ入金する。次いで、ステップＳ３０３へ進む。
【００６８】
（ステップＳ３０３）
図２０に示すように、現金処理装置１は、入金口１０２から模擬券Ｔを繰り出し、繰り出した模擬券Ｔを搬送部１１６により鑑別部１０４へ搬送する。鑑別部１０４は、ステップＳ１０１と同様に、搬送された模擬券Ｔに対して、鑑別を行うことなく、計数し、その計数結果を制御部４０に出力する。そして、制御部４０は、計数された模擬券Ｔの搬送先を収納庫１０８ｄに決定する。さらに、制御部４０は、収納庫１０８ｄへ模擬券Ｔを搬送するように搬送部１１６に指示し、搬送部１１６は、収納庫１０８ｄへ模擬券Ｔを搬送する。次いで、ステップＳ４０１へ進む。
【００６９】
（ステップＳ４０１）
次に、ステップＳ４０１の回収取引の動作確認試験が行われる。図２１に示すように、現金処理装置１は、収納庫１０８ｃ及び収納庫１０８ｄから順次模擬券Ｔを１枚ずつ繰り出し、繰り出した模擬券Ｔを搬送部１１６により鑑別部１０４へ搬送する。鑑別部１０４は、ステップＳ１０１と同様に、搬送された模擬券Ｔに対して、鑑別を行うことなく、計数し、その計数結果を制御部４０に出力する。そして、制御部４０は、鑑別部１０４によって計数された順番に応じて、模擬券Ｔの搬送先を決定する。具体的には、１番目に計数された模擬券Ｔの搬送先は紙幣カセット１１２となり、２番目に計数された模擬券Ｔの搬送先はリジェクト庫１１４となる。さらに、制御部４０は、搬送部１１６に対して決定した搬送先を指示し、搬送部１１６は、各搬送先へ各模擬券Ｔを搬送する。そして、本実施形態に係る動作確認試験は終了する。
【００７０】
その後、操作者は、紙幣カセット１１２やリジェクト庫１１４を現金処理装置１から取り外して、紙幣カセット１１２及びリジェクト庫１１４内の模擬券Ｔを回収する。このようにして、動作確認試験後には、模擬券Ｔが現金処理装置１内に残存するようなことがないようにする。
【００７１】
なお、図１２から図２１によってわかるように（各図で示される矢印を参照）、本実施形態の動作確認試験では、用いる模擬券Ｔの枚数が少なくても、各取引（入金取引、回収取引、補充取引、出金取引）において用いられる、搬送部１１６の全てのブロックについて、各取引において用いられる搬送方向ごとに、正常に搬送動作を実施することができるかどうかを漏れなく確認することができる。
【００７２】
２．２  まとめ
本実施形態の動作確認試験においては、確認動作試験用の模擬券Ｔとして２枚の模擬券Ｔを用い、さらに、鑑別部１０４が模擬券Ｔに対して鑑別を行うことなく計数を行い、制御部４０は、鑑別部１０４が計数した順番に応じて、各模擬券Ｔの搬送先を決定する。すなわち、鑑別部１０４が模擬券Ｔに対して鑑別を行わないことから、本実施形態においては、用いる模擬券Ｔは現金処理装置１に専用の模擬券である必要はなく、したがって、本実施形態によれば、用いる模擬券Ｔが現金処理装置１に専用の模擬券であることを前提することなく、さらに２枚の模擬券Ｔを準備しさえすれば、現金処理装置１の動作確認試験を実施することができる。例えば、当初数１０枚あった模擬券Ｔの一部を欠損してしまい、当初枚数の模擬券Ｔを準備することができなくても、２枚の模擬券Ｔを準備することができれば、本実施形態の確認動作試験を行うことができる。さらに、本実施形態によれば、用いる模擬券Ｔの枚数が少ないことから、模擬券Ｔの管理や持ち運びについての操作者の負担をさらに低減させることができる。
【００７３】
また、本実施形態においては、第１の実施形態と同様に、あらかじめ記憶部５０に記憶させた一連の動作確認試験のフローに係る制御プログラムを用いて動作確認試験を実施することにより、入金取引試験、出金取引試験、補充取引試験、回収取引試験を一度に連続して行うことができる。したがって、操作者は、実際の現金処理装置１の運用時と同様の操作を個別に実施することもなく、経験の浅い操作者であっても、スムーズに現金処理装置１の動作確認試験を行うことができる。加えて、本実施形態によれば、用いる模擬券Ｔの枚数が少なくても、各取引（入金取引、回収取引、補充取引、出金取引）において用いられる、搬送部１１６の全てのブロックについて、各取引において用いられる搬送方向ごとに、正常に搬送動作を実施することができるかどうかを漏れなく確認することができる。
【００７４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７５】
さらに、上記の実施形態にかかる動作確認試験のフローの少なくとも一部は、制御プログラムとして、ソフトウェアで構成することが可能であり、ソフトウェアで構成する場合には、これらの上記フローの少なくとも一部を実現するプログラムをフレキシブルディスクやＣＤ−ＲＯＭ等の記録媒体に収納し、現金処理装置１、もしくは、これと接続された他の装置に読み込ませて実行させてもよい。記録媒体は、磁気ディスクや光ディスク等の着脱可能なものに限定されず、ハードディスク装置やメモリなどの固定型の記録媒体でもよい。さらに、上記フローの少なくとも一部を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【符号の説明】
【００７６】
１    現金処理装置
２０    紙幣処理ユニット
３０    硬貨処理ユニット
４０    制御部
５０    記憶部
６０    操作表示部
８０    誘導画面
１０２    入金口
１０４    鑑別部
１０６    紙幣収納部
１０８、１０８ａ〜ｄ    収納庫
１１０    出金口
１１２    紙幣カセット
１１４    リジェクト庫
１１６    搬送部
Ｔ    模擬券
【図１】
2017117164.tif 000003
【図２】
2017117164.tif 000004
【図３】
2017117164.tif 000005
【図４】
2017117164.tif 000006
【図５】
2017117164.tif 000007
【図６】
2017117164.tif 000008
【図７】
2017117164.tif 000009
【図８】
2017117164.tif 000010
【図９】
2017117164.tif 000011
【図１０】
2017117164.tif 000012
【図１１】
2017117164.tif 000013
【図１２】
2017117164.tif 000014
【図１３】
2017117164.tif 000015
【図１４】
2017117164.tif 000016
【図１５】
2017117164.tif 000017
【図１６】
2017117164.tif 000018
【図１７】
2017117164.tif 000019
【図１８】
2017117164.tif 000020
【図１９】
2017117164.tif 000021
【図２０】
2017117164.tif 000022
【図２１】
2017117164.tif 000023